(57)【特許請求の範囲】
【請求項１】
２つのマグネットを同極側が対向するように配置してマグネットの外周に反発磁束による磁界が形成されるようにした反発型磁気回路が構成され、該磁界内にボイスコイルを配置すると共に該ボイスコイルよりも下方側で振動板及びダンパの内径部をコイルボビンに接合してなるスピーカにおいて、
反発型磁気回路の上部を覆うように金属からなるほぼドーム状の覆い部材を配置し、
前記覆い部材が磁性材料からなり、該覆い部材の外周下端部がボイスコイルの外周近傍に延びていることを特徴とするスピーカ。
【請求項２】
２つのマグネットを同極側が対向するように配置してマグネットの外周に反発磁束による磁界が形成されるようにした反発型磁気回路が構成され、該磁界内にボイスコイルを配置すると共に該ボイスコイルよりも下方側で振動板及びダンパの内径部をコイルボビンに接合してなるスピーカにおいて、
反発型磁気回路の上部を覆うように金属からなるほぼドーム状の覆い部材を配置し、
前記覆い部材の外周下端縁に防塵布が取り付けられていることを特徴とするスピーカ。
【発明の詳細な説明】
【０００１】
【発明の属する技術分野】
本発明は、反発型磁気回路を使用したスピーカに係り、詳しくは、２つのマグネットを同極側が対向するように配置してマグネットの外周に生じる反発磁束による磁界内にボイスコイルを配置して構成されるスピーカに関する。
【０００２】
【従来の技術】
従来より、スピーカを薄型化するために、２つのマグネットを同極側が対向するように配置してマグネットの外周に反発磁束による磁界が形成されるようにした反発型磁気回路を使用し、該磁界内にボイスコイルを配置するようにしたスピーカがあり、我々も反発磁気回路型スピーカと称されるこの形式のスピーカについて各種のものを提案している（例えば、特開平６−２３３３７９号公報、特開平８−６５７８４号公報等）。
【０００３】
図２及び図３は従来の反発磁気回路型スピーカの例を示し、図中、１は反発型磁気回路であり、リング状のマグネット２、３を同極側が対向するように配置することによりマグネットの外周側に生じる反発磁束による磁界を形成するように構成したものである。この場合、磁束密度を高めるために両マグネット２、３間に磁性材からなるセンタープレート４を介在させることがある。
【０００４】
反発磁気回路型スピーカは前記磁界内、即ち、センタープレートの外周側にボイスコイル５を配置して構成されるものであり、図２の例では振動板６及びダンパ７の内径部が前記ボイスコイル５の上方側でコイルボビン５ａに接合され、図３の例ではコイルボビン５ａの下方側で接合されている。
【０００５】
８はダストキャップ、９は磁気回路を保持するホルダーであり、前記マグネット２、３及びセンタープレート４の中心穴に挿入するポール部９ａを有し、ワッシャ１２を介して取付ネジ１１でマグネット及びセンタープレートをポール部に締め付け固定するようになっている。１０はホルダー９に取り付けられるフレーム、１３はフレーム１０の一部に取り付けられる端子を示している。なお、磁束密度をより高めるために前記センタープレート４の外周側に磁性材からなるアウターリング（図示しない）を配置して該アウターリングとセンタープレート４との間にボイスコイル５を配置したものもあるが、スピーカを薄型化するために、一般には図２及び図３に示すようにアウターリングを配置しない形式のものが多い。
【０００６】
【発明が解決しようとする課題】
前記のようにアウターリングを配置したものにおいてはボイスコイル５からの発熱をアウターリングを介して放熱することができ、また、図２のように、ボイスコイル５が金属製のフレーム１０の近くに位置する場合にはフレームからの放熱が可能であるが、図３に示すように、ボイスコイル５の近傍に放熱に資するような金属部材がない場合には、放熱性が悪いために、ボイスコイルが焼損してしまったり、高温によりマグネットが減磁してスピーカの性能が劣化することから、高入力用のスピーカとしては不向きであった。
【０００７】
前記のような熱対策として、例えば、ボイスコイルの線径を太くした場合には、ボイスコイルの重量が増加し、音圧レベルが下がってスピーカの性能が劣化する欠点がある。
【０００８】
本発明の目的は、前記のような従来の反発磁気回路型スピーカの欠点を解消し、ボイスコイルからの発熱を放熱することができ、ボイスコイルの焼損やスピーカの性能が劣化したりするおそれがない反発磁気回路型のスピーカを提供することにある。
【０００９】
【課題を解決するための手段】
本発明のスピーカは、請求項１記載のものにおいては、２つのマグネットを同極側が対向するように配置してマグネットの外周に反発磁束による磁界が形成されるようにした反発型磁気回路が構成され、該磁界内にボイスコイルを配置すると共に該ボイスコイルよりも下方側で振動板及びダンパの内径部をコイルボビンに接合してなるスピーカにおいて、反発型磁気回路の上部を覆うように金属からなるほぼドーム状の覆い部材を配置し、さらに、覆い部材が磁性材料からなり、該覆い部材の外周下端部がボイスコイルの外周近傍に延びていることを特徴とする。
【００１４】
これにより、反発磁束の磁束密度を高めることができ、薄型のスピーカでありながら、従来のアウターリングを配置したものと同様の機能をもたせることができる。
【００１５】
請求項２記載のものにおいては、覆い部材の外周下端縁に防塵布が取り付けられていることを特徴とする。
【００１６】
これにより、覆い部材によるダストキャップとしての機能をより高めることができる。
【００１７】
【発明の実施の形態】
本発明のスピーカの実施形態を図１に基づいて説明するが、リング状のマグネット２、３を同極側が対向するように配置すると共に両マグネット２、３間にセンタープレート４を介在させて反発型磁気回路１が構成されること、該センタープレート４の外周側にボイスコイル５を配置すること、振動板６及びダンパ７の内径部がボイスコイル５の下方においてコイルボビン５ａに接合されること、磁気回路はホルダー９で保持されること、フレーム１０の一端部に端子１３が取り付けられること等は図３に基づいて説明した従来のものと同様の構成である。
【００１８】
本発明においては、反発型磁気回路１の上部を覆うように、金属からなるほぼドーム状の覆い部材１４を配置する。この覆い部材１４にはほぼドーム状をなす本体の下面中央から支柱部１５が突成されており、該支柱部１５の下部にはネジ部１５ａが形成されていて該ネジ部１５ａをホルダー９のポール部９ａに形成したネジ穴にネジ込んで取り付けるようになっている。１７はマグネット２の上面を押えるワッシャである。
【００１９】
前記覆い部材１４の筒状外周部１６は前記ボイスコイル５の近傍まで延びており、該筒状外周部１７の先端には防塵布１８が取り付けられている。
【００２０】
前記覆い部材１４は伝熱効果を有する金属材であればその材質を問わないが、例えば、アルミ材等で形成すれば放熱効果をより高めることができ、また、鉄等の磁性材で形成すればセンタープレート４の外周に生じる反発磁束の磁束密度を高めることができ、これにより薄型化のために配置されていなかった従来のアウターリングの機能と同様の機能をもたせることができる。
【００２３】
【発明の効果】
本発明のスピーカによれば、
請求項１記載のものにおいては、反発磁束の磁束密度を高めることができ、薄型のスピーカでありながら、従来のアウターリングを配置したものと同様の機能をもたせることができる。
【００２４】
請求項２記載のものにおいては、覆い部材によるダストキャップとしての機能をより高めることができる。
【図面の簡単な説明】
【図１】本発明のスーカの実施例を示す断面図。
【図２】従来の反発磁気回路型スピーカの例を示す断面図。
【図３】従来の反発磁気回路型スピーカの他の例を示す断面図。
【符号の説明】
１      反発型磁気回路
２      マグネット
３      マグネット
４      センタープレート
５      ボイスコイル
５ａ    コイルボビン
６      振動板
７      ダンパ
１４    覆い部材
１５    支柱部
１５ａ  ネジ部
１６    筒状外周部
１７    ワッシャ
１８    防塵布
【図１】
0003559832.tif 000002
【図２】
0003559832.tif 000003
【図３】
0003559832.tif 000004